(57)【要約】【課題】人の進入を検知して絵柄または情報を表示したり、また人の移動に合わせて表示される絵柄または情報の位置が順次変化して、注目度、アミューズメント性、利便性などを高めることができる、ウォールステッカーを提供することを課題とする。【解決手段】壁面に絵柄または情報を表示することのできるウォールステッカーであって、ウォールステッカーは、人が移動する移動路に沿って設けられた１以上の人感センサーと、移動路の壁面に設けられた１以上の表示部分から構成され、表示部分は、絵柄または情報を表示する画面と、それを覆う調光可能なパネルまたはフィルムから構成され、人感センサーが人を感知する場所において、人が見ることのできる壁面に表示部分が設けられており、絵柄または情報は、人感センサーの感知信号に基づいて人の移動と同期して表示部分に表示されることを特徴とするウォールステッカーである。【選択図】図１
2018146619.tif 000002
【特許請求の範囲】
【請求項１】
壁面に絵柄または情報を表示することのできるウォールステッカーであって、
ウォールステッカーは、人が移動する移動路に沿って設けられた１以上の人感センサーと、
該移動路の壁面に設けられた１以上の表示部分から構成され、
該表示部分は、絵柄または情報を表示する画面と、それを覆う調光可能なパネルまたはフィルムから構成され、
該人感センサーが人を感知する場所において、人が見ることのできる壁面に該表示部分が設けられており、
該絵柄または情報は、人感センサーの感知信号に基づいて人の移動と同期して表示部分に表示されることを特徴とするウォールステッカー。
【請求項２】
前記絵柄または情報は、それを覆う調光パネルまたはフィルムが、人感センサーの感知信号に基づいて透明化することによって表示部分に表示されることを特徴とする請求項１に記載のウォールステッカー。
【請求項３】
前記人感センサーは、人が昇降する階段に１以上複数の段に設けられていることを特徴とする請求項１に記載のウォールステッカー。
【請求項４】
前記絵柄または情報は、人が移動路または階段に沿って歩行するにしたがって、順次表示されるものであることを特徴とする請求項１〜請求項３のいずれかに記載のウォールステッカー。
【請求項５】
前記絵柄は、表示部分が窓から見た景色を表現していることを特徴とする請求項１〜請求項４のいずれかに記載のウォールステッカー。
【請求項６】
前記調光可能なパネルまたはフィルムは、人感センサーの感知信号に基づいた調光可能なパネルまたはフィルムへの電圧印加によって、透明化する型を用いることを特徴とする請求項１〜請求項５のいずれかに記載のウォールステッカー。
【発明の詳細な説明】
【技術分野】
【０００１】
本発明はウォールステッカーに関するものである。とくに人の移動に合わせて、ウォールステッカーに表示されている絵柄や情報の位置を、順次変化させることができるウォールステッカーである。
【背景技術】
【０００２】
現代生活において、とくに都会の生活は、看板をはじめ、さまざまな広告、ディスプレイ、アート作品、各種の情報表示装置、案内板などに囲まれているといっても過言ではない。最近では、動画を表示できる装置までが街や駅、公共の場にあふれており広告活動や情報発信が盛んに行なわれている。
【０００３】
そのなかでもウォールステッカーと呼ばれるものは、壁面に様々なかたちで絵柄あるいは情報を、貼り付けたり掲示したりすることができるため、広告活動や情報発信のツールとして広く用いられ、また差別化の試みも多く行なわれてきた。
【０００４】
たとえば、特許文献１には、ちぎり絵の手法を応用したデザインを表示することのできるウォールステッカーが提案されているが、この場合には壁面に掲示することができるウォールステッカーの提案ではあるが、用いることのできるデザインには限りがあり、そのデザイン以上の面白さや意外性、あるいは注目性やアミューズメント性といったものが得られるものではなかった。
【０００５】
また、特許文献２は、任意の絵柄を有した粘着シートの提案であって、壁面に貼り付けることはできるが、表示された内容以上に視覚的効果などが期待できるものではなく、そのデザイン以上の面白さや意外性、あるいは注目性やアミューズメント性といったものを得られるものではなかった。
【０００６】
あるいは、特許文献３には、液晶調光フィルムとプロジェクターを用いて、より複雑なディスプレイ効果を得ようとする試みも提案されているが、この場合においてもデザインされたコンテンツ以上の面白さや意外性、あるいは注目度やアミューズメント性といったものを得られるものではなかった。
【０００７】
また、特許文献４には、階段に設置された人感センサーによって、その場所に人の存在が検知されたとき、照明を点灯させることが提案されている。しかしながら、この方式は人感センサーを用いてその付近に設置された照明を点灯させるものであって、その付近の壁面あるいは歩行路などには何ら配慮したものではなかった。
【先行技術文献】
【特許文献】
【０００８】
【特許文献１】特開２０１２−１７９８３８号公報
【特許文献２】実用新案登録第３１８４９２９号公報
【特許文献３】実用新案登録第３１０５６７９号公報
【特許文献４】特開平９−３０４５４８号公報
【発明の概要】
【発明が解決しようとする課題】
【０００９】
本発明はかかる状況に鑑みてなされたものであり、人の歩行に合わせて、ウォールステッカーの表示部分に表示される、絵柄または情報の位置が順次変化して、意外性、注目度、利便性、アミューズメント性などを高めることができるウォールステッカーを提供することを課題とする。
【課題を解決するための手段】
【００１０】
上記の課題を解決するための手段として、請求項１に記載の発明は、
壁面に絵柄または情報を表示することのできるウォールステッカーであって、
ウォールステッカーは、人が移動する移動路に沿って設けられた１以上の人感センサーと、
該移動路の壁面に設けられた１以上の表示部分から構成され、
該表示部分は、絵柄または情報を表示する画面と、それを覆う調光可能なパネルまたはフィルムから構成され、
該人感センサーが人を感知する場所において、人が見ることのできる壁面に該表示部分が設けられており、
該絵柄または情報は、人感センサーの感知信号に基づいて人の移動と同期して表示部分に表示されることを特徴とするウォールステッカーである。
【００１１】
また、請求項２に記載の発明は、前記絵柄または情報は、それを覆う調光パネルまたはフィルムが、人感センサーの感知信号に基づいて透明化することによって表示部分に表示されることを特徴とする請求項１に記載のウォールステッカーである。
【００１２】
また、請求項３に記載の発明は、前記人感センサーは、人が昇降する階段に１以上複数の段に設けられていることを特徴とする請求項１に記載のウォールステッカーである。
【００１３】
また、請求項４に記載の発明は、前記絵柄または情報は、人が移動路または階段に沿って歩行するにしたがって、順次表示されるものであることを特徴とする請求項１〜請求項３のいずれかに記載のウォールステッカーである。
【００１４】
また、請求項５に記載の発明は、前記絵柄は、表示部分が窓から見た景色を表現していることを特徴とする請求項１〜請求項４のいずれかに記載のウォールステッカーである。
【００１５】
また、請求項６に記載の発明は、前記調光可能なパネルまたはフィルムは、人感センサーの感知信号に基づいた調光可能なパネルまたはフィルムへの電圧印加によって、透明化する型を用いることを特徴とする請求項１〜請求項５のいずれかに記載のウォールステッカーである。
【発明の効果】
【００１６】
本発明によれば、人の歩行に合わせて、ウォールステッカーの表示部分に表示される、絵柄または情報の位置が順次変化して、意外性、注目度、利便性、アミューズメント性などを高めることができるウォールステッカーを提供することが可能である。
【００１７】
これは、本発明によるウォールステッカーが備える人感センサーが人の存在を検知し、移動路に沿って設けられる１以上の人感センサーが人の移動によって感知信号を順次発して、人の移動と順次表示される絵柄または情報を同期して表示することができるため、これまで以上に意外性、注目度、アミューズメント性、利便性を高めることができる。
【００１８】
人の移動は、歩行路への人の進入、歩行路での人の歩行、階段の昇降、車椅子などでの人の移動などの場合があって、本発明によるウォールステッカーはそれらの場合に対応することができる。
【００１９】
とくに請求項２に記載の発明によれば、人の移動に合わせて、表示部分に表示される絵
柄または情報の位置が、順次可視となって表示内容が変化して、注目度、アミューズメント性、利便性を高めることができるほか、意外性に富んだウォールステッカーを提供することが可能である。
【００２０】
とくに調光パネルまたはフィルムの透明化によって、絵柄または情報があたかも浮き出てくるように表示されるため、注目度、アミューズメント性、利便性をより一層高め、意外性にも富んだウォールステッカーを提供することが可能である。
【００２１】
とくに請求項３に記載の発明によれば、人の進入を検知して絵柄または情報を表示したり、また人が階段を昇降する場所において、その移動に合わせて、表示される絵柄やその位置が変化して、意外性、注目度、アミューズメント性、利便性などを高めることができるウォールステッカーを提供することが可能である。
【００２２】
階段を昇降する際に、一段毎に順次絵柄や情報が表示されるために、人の移動と表示部分が同期している実感がより強く感じられ、意外性、注目度、アミューズメント性のほか、絵柄や情報がより印象的なウォールステッカーを提供することが可能である。
【００２３】
とくに請求項４に記載の発明によれば、意外性、注目度、アミューズメント性、利便性などを高め、また移動するそれぞれの場所に、タイムリーかつ最適な情報を表示することができるウォールステッカーを提供することが可能である。
【００２４】
これは、人移動に合わせて表示部分に順次表示される絵柄や情報が、同じものではなく、順次変化させることができるため、その内容によって注目度、利便性などの特徴を持たせられるほか、意外性やアミューズメント性を持たせることも可能である。
【００２５】
とくに請求項５に記載の発明によれば、人の歩行路への進入を検知して絵柄または情報を表示したり、また人の歩行路の移動に合わせて表示される絵柄または情報の位置が順次変化して、視覚的には、あたかも壁面に窓があって、窓を通してみるかのような景色が次々と現れるために、より意外性、注目度、娯楽性、アミューズメント性の高いウォールステッカーを実現することができる。
【００２６】
たとえば、表示部分が窓から見た景色を表現している場合に、人が移動路に沿って歩行し、人感センサーによって、順次表示部分の絵柄または情報を見えるようにすることができるほか、大きな面積を持った窓として、表示部分を一枚の調光パネルまたはフィルムで覆っておき、人感センサーによって透明化して、移動路の横に外の景色が大きく現れるようにすることもできる。
【００２７】
この場合には、移動路が高層階にある場合、あるいはそうでなくても、外の景色が突然大きく現れることによって、より娯楽性、アミューズメント性が高まる効果が期待でき、アトラクション的なスリルを提供することができる。
【００２８】
とくに請求項６に記載の発明によれば、人の進入を検知して絵柄または情報を表示したり、また人の移動に合わせて表示される絵柄または情報の位置が順次変化して、意外性、注目度、アミューズメント性をより一層高めることができ、また消費電力がより少ないウォールステッカーを提供することが可能である。
【００２９】
これは、表示が必要なとき、すなわち人が進入または歩行してウォールステッカーが可視である範囲にいる時にのみ、調光可能なパネルまたはフィルムへの電圧を印加して透明にして、絵柄または情報を表示することにより、消費電力の軽減が可能となるためである。
【図面の簡単な説明】
【００３０】
【図１】図１は本発明に係るウォールステッカーの一実施態様のうち平面歩行によって、移動路に沿って設けられた人感センサーが作動し、絵柄または情報が壁面に表示される様子を説明するための斜視模式図である。
【図２】図２は本発明に係るウォールステッカーの一実施態様のうち平面歩行によって、移動路に沿って設けられた人感センサーが作動し、順次絵柄または情報が壁面に表示される様子を説明するための斜視模式図である。
【図３】図３は本発明に係るウォールステッカーの一実施態様のうち、階段歩行によって移動路に沿って設けられた人感センサーが作動し、絵柄または情報が順次壁面に表示される様子を説明するための斜視模式図である。
【図４】図４は本発明に係るウォールステッカーの一実施態様のうち、階段歩行によって移動路に沿って設けられた人感センサーが作動し、順次絵柄または情報が壁面に表示される、はじめの絵柄または情報が表示される前の様子を説明するための斜視模式図である。
【図５】図５は本発明に係るウォールステッカーの一実施態様のうち、階段歩行によって移動路に沿って設けられた人感センサーが作動し、順次絵柄または情報が壁面に表示される、はじめの絵柄または情報が表示される様子を説明するための斜視模式図である。
【図６】図６は本発明に係るウォールステッカーの一実施態様のうち、階段歩行によって移動路に沿って設けられた人感センサーが作動し、順次絵柄または情報が壁面に表示される、２番目の絵柄または情報が表示される様子を説明するための斜視模式図である。
【図７】図７は本発明に係るウォールステッカーの一実施態様のうち、階段歩行によって移動路に沿って設けられた人感センサーが作動し、順次絵柄または情報が壁面に表示される、３番目の絵柄または情報が表示される様子を説明するための斜視模式図である。
【図８】図８は本発明に係るウォールステッカーの一実施態様のうち、階段歩行によって移動路に沿って設けられた人感センサーが作動し、順次絵柄または情報が壁面に表示される、４番目の絵柄または情報が表示される様子を説明するための斜視模式図である。
【図９】図９は本発明に係るウォールステッカーの一実施態様のうち、階段歩行によって移動路に沿って設けられた人感センサーが作動し、順次絵柄または情報が壁面に表示される、４番目の絵柄または情報が表示され、階段を上り終えた様子を説明するための斜視模式図である。
【図１０】図１０は本発明に係るウォールステッカーの一実施態様のうち、階段歩行によって移動路に沿って設けられた人感センサーが作動し、順次絵柄または情報が壁面に表示されたのち階段を上り終え、絵柄または情報が表示されなくなった様子を説明するための斜視模式図である。
【図１１】図１１は、本発明に用いる調光可能なパネルまたはフィルムが、電源オフによって透明、電圧印加によって不透明になる型である場合の動作を説明するための部分断面模式図である。
【図１２】図１２は、本発明に用いる調光可能なパネルまたはフィルムが、電源オフによって不透明、電圧印加によって透明になる型である場合の動作を説明するための部分断面模式図である。
【発明を実施するための形態】
【００３１】
以下、本発明を図１〜図１２を参照しながら、更に詳しい説明を加える。ただし本発明は、ここに示す例にのみ限定されるものではない。
【００３２】
図１は本発明に係るウォールステッカーの一実施態様のうち平面歩行によって、移動路に沿って設けられた人感センサーが作動し、絵柄または情報が壁面に表示される様子を説明するための斜視模式図である。
【００３３】
ここに示す例において、壁面（１）には、絵柄または情報（５）を表示する部分である表示部分（４）、および表示部分（７）とが設けてある。また床面（１１）には、人が移動する移動路（６）に沿って人感センサー（２）、および人感センサー（９）とが設けてある。
【００３４】
人感センサー（２）には、表示部分（４）が接続して対応しており、人感センサー（９）には表示部分（７）が接続して対応している。
【００３５】
ここに示す例において、歩行跡（３）は人感センサー（２）に達しており、感知信号は表示部分（４）に送られ、それを覆う調光可能なパネルまたはフィルム（１０）への印加電圧を変化させることにより、調光可能なパネルまたはフィルム（１０）が透明になることによって、絵柄または情報（５）を可視とすることができる。
【００３６】
ここで用いる人感センサー（２）は、人が足で踏むことによる圧力を感知するものであるが、ほかにも、人が近づくとそれを感知する型のものなど、適宜選択して使用することができる。また人感センサーは、感知する方式によって、床面（１１）に設けるのでもよく、壁面（１）に設けることもできる。
【００３７】
本発明によるウォールステッカーに用いる、調光可能なパネルまたはフィルム（１０）は、調光の原理は調光可能なパネルまたはフィルム（１０）への印加電圧の変化による、液晶分子の配列の変化による光学特性の変化を利用したものであるが、液晶分子のほか、液晶分子と高分子の複合体を用いることもでき、使用される用途や環境、必要とされる光学特性や物理特性によって、適宜使い分けることができる。
【００３８】
したがって、液晶分子または液晶分子と高分子の複合体を２枚のパネルの間、あるいは２枚の高分子フィルムの間に挟みこんで、表面、および裏面に電極を配置して、電圧を印加できる構造であれば良い。
【００３９】
また調光可能なパネルの場合には、フレームなどを用いて壁面に固定してディスプレイとして用いることができ、調光可能なフィルムの場合には、平面のほか曲面にまきつけたり貼り付けたりして使用することも可能である。
【００４０】
図２は本発明に係るウォールステッカーの一実施態様のうち平面歩行によって、移動路に沿って設けられた人感センサーが作動し、順次絵柄または情報が壁面に表示される様子を説明するための斜視模式図である。
【００４１】
ここに示す例において、歩行跡（３）は歩行路（６）に沿って、次の人感センサー（９）に達しており、感知信号は表示部分（７）に送られ、それを覆う調光可能なパネルまたはフィルム（１０）への印加電圧を変化させることにより、調光可能なパネルまたはフィルム（１０）が透明になることによって、絵柄または情報（８）を可視とすることができる。
【００４２】
このように、本発明のウォールステッカーは、人感センサーの感知信号によって調光可能なパネルまたはフィルム（１０）が透明になることによって、人の移動と、ウォールステッカーの絵柄または情報とを同期させて表示することか可能である。
【００４３】
また人感センサーは、人が歩行する床面（１１）の移動路（６）に沿って設けられていることによって、歩行中に絶えず絵柄または情報を視認し、確認することができるために、表示される絵柄または情報の位置が変化して、意外性、注目度、アミューズメント性、利便性を高めることができる。またその都度絵柄または情報が出現するようにも感じられ、意外性、アミューズメント性に優れたものとなる。
【００４４】
したがって本発明によるウォールステッカーは、たとえば、意外性、注目度、アミューズメント性の高さを生かして広告宣伝の分野において、効果的に活用することが可能である。またたとえば、歩きながらその都度の視認が可能であるため、道順などの案内表示にも好適に用いることができるものである。
【００４５】
絵柄の表示部分が窓から見た景色を表現している場合には、人の歩行路への進入を検知して絵柄または情報を表示したり、また人の歩行路の移動に合わせて表示される絵柄または情報の位置が順次変化して、視覚的には、あたかも壁面に窓があって、窓を通してみるかのような景色が次々と現れるために、より意外性、注目度、アミューズメント性の高いウォールステッカーを実現することができる。
【００４６】
ほかにもたとえば、絵柄の表示部分が窓から見た景色を表現している場合には、人が移動路に沿って歩行し、人感センサーによって、順次表示部分の絵柄または情報を見えるようにすることができるほか、大きな面積を持った窓として、表示部分を一枚の調光パネルまたはフィルムで覆っておき、人感センサーによって透明化して、移動路の横に外の景色が大きく現れるようにすることもできる。
【００４７】
このような場合には、たとえば移動路が高層階にある場合、あるいはそうでなくても、外の景色が突然大きく現れることによって、より意外性、娯楽性、アミューズメント性が高まる効果が期待でき、アトラクション的なスリルを提供することができる。
【００４８】
図３は本発明に係るウォールステッカーの一実施態様のうち、階段歩行によって移動路に沿って設けられた人感センサーが作動し、絵柄または情報が順次壁面に表示される様子を説明するための斜視模式図である。
【００４９】
ここに示す例において、床面（１１）は、階段（１６）に接続して、一段目（１２）から四段目（１５）まで設けられている。また壁面（１）には、ウォールステッカーの表示部分（２２）から表示部分（２５）が、階段状に並べて設けられている。
【００５０】
階段（１６）の一段目（１２）から四段目（１５）までには、各段にそれぞれ足で踏むと感知する人感センサーが設けられており、壁面（１）の表示部分（２２）から、表示部分（２５）に対応している。
【００５１】
すなわち、一段目（１２）の人感センサーには表示部分（２２）が、二段目（１３）の人感センサーには表示部分（２３）が、三段目（１４）の人感センサーには表示部分（２４）が、四段目（１５）の人感センサーには表示部分（２５）が対応している。
【００５２】
表示部分（２２）から表示部分（２５）までの絵柄または情報は、同一のものである必要はなく、例えば時系列に変化するものであったり、ストーリー性のあるものであれば、より効果的に用いることができる。
【００５３】
あるいは他の例として、窓から見た景色を表現したものでも良い。この場合、たとえば表示部分の周縁に窓枠を設けてもよく、あるいは窓枠は表示される絵柄の一部として表現するのでも良い。
【００５４】
図４は本発明に係るウォールステッカーの一実施態様のうち、階段歩行によって移動路に沿って設けられた人感センサーが作動し、順次絵柄または情報が壁面に表示される、はじめの絵柄または情報が表示される前の様子を説明するための斜視模式図である。
【００５５】
ここに示す例において、歩行跡（３）は、床面（１１）にあって、人感センサーは感知していない状態である。したがって、表示部分（２２）から表示部分（２５）までの絵柄または情報は表示されていない状態である。
【００５６】
図５は本発明に係るウォールステッカーの一実施態様のうち、階段歩行によって移動路に沿って設けられた人感センサーが作動し、順次絵柄または情報が壁面に表示される、はじめの絵柄または情報が表示される様子を説明するための斜視模式図である。
【００５７】
ここに示す例において、歩行跡（３）は階段（１６）の一段目（１２）に到達しており、感知信号は表示部分（２２）に送られ、それを覆う調光可能なパネルまたはフィルムへの印加電圧を変化させることにより、調光可能なパネルまたはフィルムが透明になることによって、表示部分（２２）は絵柄または情報を可視とすることができる。
【００５８】
ここで用いる人感センサーは、前述の例と同様に人が足で踏むことによる圧力を感知するものであるが、ほかにも、人が近づくとそれを感知する型のものなど、適宜選択して使用することができる。
【００５９】
図６は本発明に係るウォールステッカーの一実施態様のうち、階段歩行によって移動路に沿って設けられた人感センサーが作動し、順次絵柄または情報が壁面に表示される、２番目の絵柄または情報が表示される様子を説明するための斜視模式図である。
ここに示す例において、歩行跡（３）は階段（１６）の二段目（１３）に到達しており、感知信号は表示部分（２３）に送られ、それを覆う調光可能なパネルまたはフィルムへの印加電圧を変化させることにより、調光可能なパネルまたはフィルムが透明になることによって、表示部分（２３）の絵柄または情報を可視とすることができる。
【００６０】
またここに示す例において、表示部分（２２）と表示部分（２３）の両方が可視となっている状態であるが、これはふたつの歩行跡が階段（１６）の一段目（１２）、二段目（１３）の両方にあって重さがかかるために、感知信号が表示部分（２２）、および表示部分（２３）に送られるためであり、歩を進めて一段目（１２）にかかる重さがなくなれば、表示部分（２２）は再び不可視となる。
【００６１】
図７は本発明に係るウォールステッカーの一実施態様のうち、階段歩行によって移動路に沿って設けられた人感センサーが作動し、順次絵柄または情報が壁面に表示される、３番目の絵柄または情報が表示される様子を説明するための斜視模式図である。
【００６２】
ここに示す例において、歩行跡（３）は階段（１６）の三段目（１４）に到達しており、感知信号は表示部分（２４）に送られ、それを覆う調光可能なパネルまたはフィルムへの印加電圧を変化させることにより、調光可能なパネルまたはフィルムが透明になることによって、表示部分（２４）の絵柄または情報を可視とすることができる。
【００６３】
またここに示す例において、表示部分（２３）と表示部分（２４）の両方が可視となっている状態であるが、これはふたつの歩行跡が階段（１６）の二段目（１３）、三段目（１４）の両方にあって重さがかかるために、感知信号が表示部分（２３）、および表示部分（２４）の両方に送られるためであり、歩を進めて二段目（１３）にかかる重さがなくなれば、表示部分（２３）は再び不可視となる。
【００６４】
図８は本発明に係るウォールステッカーの一実施態様のうち、階段歩行によって移動路に沿って設けられた人感センサーが作動し、順次絵柄または情報が壁面に表示される、４番目の絵柄または情報が表示される様子を説明するための斜視模式図である。
【００６５】
ここに示す例において、歩行跡（３）は階段（１６）の四段目（１５）に到達しており、感知信号は表示部分（２５）に送られ、それを覆う調光可能なパネルまたはフィルムへの印加電圧を変化させることにより、調光可能なパネルまたはフィルムが透明になることによって、表示部分（２５）の絵柄または情報を可視とすることができる。
【００６６】
またここに示す例において、表示部分（２４）と表示部分（２５）の両方が可視となっている状態であるが、これはふたつの歩行跡（３）が階段（１６）の三段目（１４）、四段目（１５）の両方にあって重さがかかるために、感知信号が表示部分（２４）、および表示部分（２５）の両方に送られるためであり、歩を進めて三段目（１４）にかかる重さがなくなれば、表示部分（２４）は再び不可視となる。
【００６７】
図９は本発明に係るウォールステッカーの一実施態様のうち、階段歩行によって移動路に沿って設けられた人感センサーが作動し、順次絵柄または情報が壁面に表示される、４番目の絵柄または情報が表示され階段を上り終えた様子を説明するための斜視模式図である。
【００６８】
ここに示す例において、歩行跡（３）は階段（１６）の四段目（１５）に到達しており、感知信号は表示部分（２５）に送られ、それを覆う調光可能なパネルまたはフィルムへの印加電圧を変化させることにより、調光可能なパネルまたはフィルムが透明になることによって、表示部分（２５）の絵柄または情報を可視とすることができる。
【００６９】
またここに示す例において、表示部分（２５）が可視となっている状態であるが、これはふたつの歩行跡（３）のうち、後ろ側の歩行跡（３）が階段（１６）の四段目（１５）にあって重さがかかるために、感知信号が表示部分（２５）に送られるためであり、歩を進めて四段目（１５）にかかる重さがなくなれば、表示部分（２５）は再び不可視となる。
【００７０】
図１０は本発明に係るウォールステッカーの一実施態様のうち、階段歩行によって移動路に沿って設けられた人感センサーが作動し、順次絵柄または情報が壁面に表示されたのち、階段を上り終え絵柄または情報が表示されなくなった様子を説明するための斜視模式図である。
【００７１】
ここに示す例において、歩行跡（３）は、両方とも床面（１７）にあって、人感センサーは感知していない状態である。したがって、感知信号は送られることはなく、表示部分（２２）から表示部分（２５）までの絵柄または情報は、再び表示されていない状態となる。
【００７２】
図３〜図１０に示す例においては、表示部分の表示時間は、人感センサーの感知信号が発せられる時間と等しくした例であるが、感知信号を電気的に処理することで、調光可能なパネルまたはフィルムへの電圧印加または電圧印加なしの時間を変化させて、表示時間を変更、制御することも可能である。
【００７３】
図１１は、本発明に用いる調光可能なパネルまたはフィルムが、電源オフによって透明、電圧印加によって不透明になる型である場合の動作を説明するための部分断面模式図である。
【００７４】
ここに示す例においては、調光可能なパネルまたはフィルム（３０）は、リバースモード型とも呼ばれネガ型の液晶分子（３４）が使用される。すなわち電源（３８）オフの状態で、液晶分子（３４）は入射光（３５）に対して平行に配列した状態となる。
【００７５】
この状態は液晶の均一配向、あるいは液晶と高分子の屈折率の一致、であって光が透過できる状態である。このため、入射光（３５）はそのまま調光可能なパネルまたはフィルム（３０）を透過して、透過光（３６）となる。
【００７６】
すなわち、調光可能なパネルまたはフィルム（３０）は透明な状態であるから、表示部分の内側の絵柄または情報は可視とすることが可能となる。
【００７７】
これに対し、図中矢印（３１）の電源（３８）オンの操作により、調光可能なパネルまたはフィルム（３０）に電圧が印加されると、液晶分子（３４）の配列は不規則となる。
【００７８】
この状態は液晶のランダム配向、あるいは液晶と高分子の屈折率の不一致であって光が透過できず散乱する状態である。このため入射光（３５）はそのまま透過することができず、散乱光（３７）となる。
【００７９】
したがって、調光可能なパネルまたはフィルム（３０）は不透明な状態であるから、表示部分の内側の絵柄または情報は、不可視となる。
【００８０】
さらに、図中矢印（３２）の電源（３８）オフの操作により、調光可能なパネルまたはフィルム（３０）は印加電圧オフの状態で、液晶分子（３４）は再び入射光に対して平行に配列した状態となって、前述のように調光可能なパネルまたはフィルム（３０）は透明な状態にもどり、表示部分の内側の絵柄または情報を、可視とすることが再び可能となる。
【００８１】
ここに示す例において表示部分に絵柄または情報を表示させるには、人感センサーと調光可能なパネルまたはフィルム（３０）との接続は、人感センサーの感知信号を受けて、電源（３８）をオフ、すなわち調光可能なパネルまたはフィルム（３０）への印加電圧をオフにするように、接続する。
【００８２】
図１２は、本発明に用いる調光可能なパネルまたはフィルムが、電源オフによって不透明、電圧印加によって透明になる型である場合の動作を説明するための部分断面模式図である。
【００８３】
ここに示す例においては、調光可能なパネルまたはフィルム（３０）は、ノーマルモード型とも呼ばれポジ型の液晶分子（３４）が使用される。すなわち電源（３８）オフの状態で、液晶分子（３４）は入射光（３５）に対してランダムに配列した状態となる。
【００８４】
この状態は液晶のランダム配向、あるいは液晶と高分子の屈折率の不一致であって光が透過できず散乱する状態である。このため、入射光（３５）はそのまま透過することができず、散乱光（３７）となる。
【００８５】
したがって、調光可能なパネルまたはフィルム（３０）は不透明な状態であるから、表示部分の内側の絵柄または情報を、不可視となる。
【００８６】
これに対し、図中矢印（３１）の電源オンの操作により、調光可能なパネルまたはフィルム（３０）に電圧が印加されると、液晶分子（３４）の配列は入射光（３５）に平行に配列した状態となる。
【００８７】
この状態は液晶の均一配向、あるいは液晶と高分子の屈折率の一致、であって光が透過できる状態である。したがって入射光（３５）は、そのまま調光可能なパネルまたはフィ
ルム（３０）を透過して、透過光（３６）となる。
【００８８】
すなわち、調光可能なパネルまたはフィルム（３０）は透明な状態であるから、表示部分の内側の絵柄または情報を、外側から可視とすることが可能となる。
【００８９】
さらに、図中矢印（３２）の電源オフの操作により、調光可能なパネルまたはフィルム（３０）は印加電圧オフの状態で、液晶分子は入射光（３５）に対してランダムに配列した状態となって、前述のように調光可能なパネルまたはフィルム（３０）は不透明な状態となって、入社光（３５）を散乱させて遮ることができる。
【００９０】
ここに示す例において表示部分に絵柄または情報を表示させるためには、人感センサーと調光可能なパネルまたはフィルム（３０）との接続は、人感センサーの感知信号を受けて、電源（３８）をオン、すなわち調光可能なパネルまたはフィルム（３０）への印加電圧をオンにするように、接続する。
【００９１】
このようにノーマルモード型の調光フィルム（３０）は、電源（３８）オフ、印加電圧オフによる、調光可能なパネルまたはフィルム（３０）の不透明な時間が長い場合には、消費電力を少なくすることができる。
【００９２】
例えば、人が歩行路を移動する機会が比較的少ない場合などには、調光可能なパネルまたはフィルム（３０）への電圧印加時間は必要とされる時間だけ、すなわち常時不透明、必要時のみ透明でよいために、調光可能なパネルまたはフィルム（３０）の消費電力の観点からはこのノーマルモード型が有利である。
【００９３】
これまで詳細に説明を加えてきたとおり、本発明によるウォールステッカーは、人が移動する移動路に沿って設けられた１以上の人感センサーと、移動路の壁面に設けられた１以上の表示部分から構成され、表示部分は、絵柄または情報を表示する画面と、それを覆う調光可能なパネルまたはフィルムから構成されている。
【００９４】
人の侵入あるいは移動に同期して、表示部分に絵柄または情報が表示されることによって、絵柄または情報のタイムリーな出現を可能にする仕組みであることは、数々の利点を生み出す。
【００９５】
絵柄または情報のタイムリーな出現は、人に意外性を感じさせ、興味を喚起することが可能である。したがって、広告活動や広報活動などの分野においても有力なツールとなり得る。
【００９６】
また本発明においては、表示装置の表面は、調光可能なパネルまたはフィルムから構成され、透明化したときに絵柄または情報が可視となるとなるために、何もないところに突然絵柄または情報が出現したように感じられ、より意外性があり、注目度が高く、アミューズメント性も大きいものとなる。
【００９７】
また人の移動に同期して絵柄または情報が出現するため、その人専用の絵柄または情報が可視となるように感じられることから、道案内板をはじめとする各種案内板にも好適である。たとえば、ターミナル駅での乗り換え通路の案内や、トイレなどへの行き方を歩きながら順次確認することも可能である。
【００９８】
表示部分の絵柄または情報を表示する画面は、その方法を限定するものではない。例えば、各種のディスプレイを用いて、静止画だけでなく動画を配することも可能であるし、記号、標識、絵柄、写真、のほか文字をはじめとする各種情報などあらゆる用途に用いて
よい。
【００９９】
また表示する絵柄または情報は、人の移動に連動して連続性があるものや、ストーリー性があるものを選ぶことができ、例えば窓から見た風景のように、歩行によって少しづつ変化してゆくものでも良い。
【０１００】
また人感センサーと表示部分は、移動路に沿ってそれぞれ１以上が配されるが、これは一対で配置してもよく、人感センサーと表示部分が、１：１以上であってもよい。あるいはその反対に人感センサーと表示部分が、１以上：１でもかまわない。これらの比率は、ウォールステッカーの目的、設置の環境などを考慮、勘案して、適宜選択して設計すればよい。
【０１０１】
表示装置はその設置位置は任意ではあるが、人が人感センサーを作動させた位置から、可視であればよく、より好ましくは視認しやすい位置、距離、高さに設置することが望ましい。
【０１０２】
このように本発明によれば、人の移動に合わせて表示される絵柄または情報の位置が順次変化して、意外性、注目度、アミューズメント性、利便性などを高めることができるウォールステッカーを提供することが可能である。
【符号の説明】
【０１０３】
１・・・壁面
２・・・人感センサー
３・・・歩行跡
４・・・表示部分
５・・・絵柄または情報
６・・・移動路
７・・・表示部分
８・・・絵柄または情報
９・・・人感センサー
１０・・・調光可能なパネルまたはフィルム
１１・・・床面
１２・・・一段目
１３・・・二段目
１４・・・三段目
１５・・・四段目
１６・・・階段
１７・・・床面
２２・・・表示部分
２３・・・表示部分
２４・・・表示部分
２５・・・表示部分
３０・・・調光可能なパネルまたはフィルム
３１・・・矢印
３２・・・矢印
３４・・・液晶分子
３５・・・入射光
３６・・・透過光
３７・・・散乱光
３８・・・電源
【図１】
2018146619.tif 000003
【図２】
2018146619.tif 000004
【図３】
2018146619.tif 000005
【図４】
2018146619.tif 000006
【図５】
2018146619.tif 000007
【図６】
2018146619.tif 000008
【図７】
2018146619.tif 000009
【図８】
2018146619.tif 000010
【図９】
2018146619.tif 000011
【図１０】
2018146619.tif 000012
【図１１】
2018146619.tif 000013
【図１２】
2018146619.tif 000014